【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
ガイドカテーテル、マッピング−アブレーションカテーテル、ハンドルおよびコネクタを備え、
前記ガイドカテーテルは、少なくとも１つのルーメンおよび調節可能な湾曲部を有する遠位端を有し；
前記マッピング−アブレーションカテーテルは、前記ガイドカテーテルのルーメンの一方に収容され、１つ以上の電極および１つ以上の検出デバイスを備える遠位端を有し、前記マッピング−アブレーションカテーテルの遠位端は湾曲し、ガイドカテーテルから突出し、またはガイドカテーテルに後退し、該ガイドカテーテルの開口端の中心軸に沿って回転可能であり；
前記ハンドルは、前記ガイドカテーテルおよび前記マッピング−アブレーションカテーテルと接続し、１つ以上の制御構成要素を備え、該制御構成要素は、前記ガイドカテーテルおよびマッピング−アブレーションカテーテルの動きを制御するためのものであり；
前記コネクタは、前記電極にエネルギーを供給するよう設計され；
前記マッピング−アブレーションカテーテルの該遠位端の湾曲部が、（１）牽引ワイヤを使用して、該牽引ワイヤの一端を該マッピング−アブレーションカテーテルの遠位端に固定する一方で、もう一端を該ハンドル内の弾性体に固定し、該マッピング−アブレーションカテーテルの遠位端が該ガイドカテーテルに後退するとき、該遠位端が抑制され、該牽引ワイヤを伸長し、該弾性体を圧縮し、該マッピング−アブレーションカテーテルの遠位端が該ガイドカテーテルから突出するとき、その遠位端はもはや抑制されず、該弾性体が自然に復元し、該牽引ワイヤを引っ張り、該カテーテルの遠位端の屈曲を生じさせることにより、または（２）予備成形形状のＮｉ−Ｔｉ形状記憶合金を使用して、該遠位端が該カテーテルに取り付けられた後に該予備成形された湾曲部を維持することができるようにすることにより維持されており；
前記電極が、電気エネルギー、無線周波数エネルギー、レーザーエネルギー、若しくは高強度集束超音波を送るための、または冷凍アブレーションを実施するための電極を備える； 
腎動脈に分布する腎神経をマッピングし、アブレーションするためのデバイス。
【請求項２】
ガイドカテーテル、マッピング−アブレーションカテーテル、ハンドルおよびコネクタを備え、
前記ガイドカテーテルは、少なくとも１つのルーメンおよび調節可能な湾曲部を有する遠位端を有し；
前記マッピング−アブレーションカテーテルは、前記ガイドカテーテルのルーメンの一方に収容され、１つ以上の電極および１つ以上の検出デバイスを備える遠位端を有し、前記マッピング−アブレーションカテーテルの遠位端は湾曲し、ガイドカテーテルから突出し、またはガイドカテーテルに後退し、該ガイドカテーテルの開口端の中心軸に沿って回転可能であり；
前記マッピング−アブレーションカテーテルの該遠位端の湾曲部が、（１）牽引ワイヤを使用して、該牽引ワイヤの一端を該マッピング−アブレーションカテーテルの遠位端に固定する一方で、もう一端を該ハンドル内の弾性体に固定し、該マッピング−アブレーションカテーテルの遠位端が該ガイドカテーテルに後退するとき、該遠位端が抑制され、該牽引ワイヤを伸長し、該弾性体を圧縮し、該マッピング−アブレーションカテーテルの遠位端が該ガイドカテーテルから突出するとき、その遠位端はもはや抑制されず、該弾性体が自然に復元し、該牽引ワイヤを引っ張り、該カテーテルの遠位端の屈曲を生じさせることにより、または（２）予備成形形状のＮｉ−Ｔｉ形状記憶合金を使用して、該遠位端が該カテーテルに取り付けられた後に該予備成形された湾曲部を維持することができるようにすることにより維持されており；
前記ハンドルは、前記ガイドカテーテルおよび前記マッピング−アブレーションカテーテルと接続し、１つ以上の制御構成要素を備え、該制御構成要素は、前記ガイドカテーテルおよびマッピング−アブレーションカテーテルの動きを制御するためのものであり；
前記ハンドルが、前記ガイドカテーテルに送入または送出する輸液を制御するための、前記ガイドカテーテルに接続する輸液交換コンジットを更に備えており；
前記コネクタは、前記電極にエネルギーを供給するよう設計される；
腎動脈に分布する腎神経をマッピングし、アブレーションするためのデバイス。
【請求項３】
ガイドカテーテル、マッピング−アブレーションカテーテル、ハンドルおよびコネクタを備え、
前記ガイドカテーテルは、少なくとも１つのルーメンおよび調節可能な湾曲部を有する遠位端を有し；
前記マッピング−アブレーションカテーテルは、前記ガイドカテーテルのルーメンの一方に収容され、１つ以上の電極および１つ以上の検出デバイスを備える遠位端を有し、前記マッピング−アブレーションカテーテルの遠位端は湾曲し、ガイドカテーテルから突出し、またはガイドカテーテルに後退し、該ガイドカテーテルの開口端の中心軸に沿って回転可能であり；
前記検出デバイスが、温度検出デバイスおよび抵抗検出デバイスを備えており；
前記マッピング−アブレーションカテーテルの該遠位端の湾曲部が、（１）牽引ワイヤを使用して、該牽引ワイヤの一端を該マッピング−アブレーションカテーテルの遠位端に固定する一方で、もう一端を該ハンドル内の弾性体に固定し、該マッピング−アブレーションカテーテルの遠位端が該ガイドカテーテルに後退するとき、該遠位端が抑制され、該牽引ワイヤを伸長し、該弾性体を圧縮し、該マッピング−アブレーションカテーテルの遠位端が該ガイドカテーテルから突出するとき、その遠位端はもはや抑制されず、該弾性体が自然に復元し、該牽引ワイヤを引っ張り、該カテーテルの遠位端の屈曲を生じさせることにより、または（２）予備成形形状のＮｉ−Ｔｉ形状記憶合金を使用して、該遠位端が該カテーテルに取り付けられた後に該予備成形された湾曲部を維持することができるようにすることにより維持されており；
前記ハンドルは、前記ガイドカテーテルおよび前記マッピング−アブレーションカテーテルと接続し、１つ以上の制御構成要素を備え、該制御構成要素は、前記ガイドカテーテルおよびマッピング−アブレーションカテーテルの動きを制御するためのものであり；
前記コネクタは、前記電極にエネルギーを供給するよう設計される；
腎動脈に分布する腎神経をマッピングし、アブレーションするためのデバイス。
【請求項４】
ガイドカテーテル、マッピング−アブレーションカテーテル、ハンドルおよびコネクタを備え、
前記ガイドカテーテルは、少なくとも１つのルーメンおよび調節可能な湾曲部を有する遠位端を有し；
前記マッピング−アブレーションカテーテルは、前記ガイドカテーテルのルーメンの一方に収容され、１つ以上の電極および１つ以上の検出デバイスを備える遠位端を有し、前記マッピング−アブレーションカテーテルの遠位端は湾曲し、ガイドカテーテルから突出し、またはガイドカテーテルに後退し、該ガイドカテーテルの開口端の中心軸に沿って回転可能であり；
前記マッピング−アブレーションカテーテルの該遠位端の湾曲部が、（１）牽引ワイヤを使用して、該牽引ワイヤの一端を該マッピング−アブレーションカテーテルの遠位端に固定する一方で、もう一端を該ハンドル内の弾性体に固定し、該マッピング−アブレーションカテーテルの遠位端が該ガイドカテーテルに後退するとき、該遠位端が抑制され、該牽引ワイヤを伸長し、該弾性体を圧縮し、該マッピング−アブレーションカテーテルの遠位端が該ガイドカテーテルから突出するとき、その遠位端はもはや抑制されず、該弾性体が自然に復元し、該牽引ワイヤを引っ張り、該カテーテルの遠位端の屈曲を生じさせることにより、または（２）予備成形形状のＮｉ−Ｔｉ形状記憶合金を使用して、該遠位端が該カテーテルに取り付けられた後に該予備成形された湾曲部を維持することができるようにすることにより維持されており；
前記ハンドルは、前記ガイドカテーテルおよび前記マッピング−アブレーションカテーテルと接続し、１つ以上の制御構成要素を備え、該制御構成要素は、前記ガイドカテーテルおよびマッピング−アブレーションカテーテルの動きを制御するためのものであり；
前記マッピング−アブレーションカテーテルと前記ガイドカテーテルとの間に、液の送入または送出を制御するための封止機構が形成されており；
前記コネクタは、前記電極にエネルギーを供給するよう設計される；
腎動脈に分布する腎神経をマッピングし、アブレーションするためのデバイス。
【請求項５】
ガイドカテーテル、マッピング−アブレーションカテーテル、ハンドルおよびコネクタを備え、
前記ガイドカテーテルは、少なくとも１つのルーメンおよび調節可能な湾曲部を有する遠位端を有し；
前記マッピング−アブレーションカテーテルは、前記ガイドカテーテルのルーメンの一方に収容され、１つ以上の電極および１つ以上の検出デバイスを備える遠位端を有し、前記マッピング−アブレーションカテーテルの遠位端は湾曲し、ガイドカテーテルから突出し、またはガイドカテーテルに後退し、該ガイドカテーテルの開口端の中心軸に沿って回転可能であり；
前記ガイドカテーテルの前記遠位端の材料が最も柔軟性があり、前記ガイドカテーテルの中位部の材料が中間の硬度を有し、および前記ガイドカテーテルの近位端の材料が最も硬性があり、かつ上記各材料の硬度は、ショア硬さ尺度において９０Ａ〜８０Ｄの範囲に分布しており； 
前記マッピング−アブレーションカテーテルの該遠位端の湾曲部が、（１）牽引ワイヤを使用して、該牽引ワイヤの一端を該マッピング−アブレーションカテーテルの遠位端に固定する一方で、もう一端を該ハンドル内の弾性体に固定し、該マッピング−アブレーションカテーテルの遠位端が該ガイドカテーテルに後退するとき、該遠位端が抑制され、該牽引ワイヤを伸長し、該弾性体を圧縮し、該マッピング−アブレーションカテーテルの遠位端が該ガイドカテーテルから突出するとき、その遠位端はもはや抑制されず、該弾性体が自然に復元し、該牽引ワイヤを引っ張り、該カテーテルの遠位端の屈曲を生じさせることにより、または（２）予備成形形状のＮｉ−Ｔｉ形状記憶合金を使用して、該遠位端が該カテーテルに取り付けられた後に該予備成形された湾曲部を維持することができるようにすることにより維持されており；
前記ハンドルは、前記ガイドカテーテルおよび前記マッピング−アブレーションカテーテルと接続し、１つ以上の制御構成要素を備え、該制御構成要素は、前記ガイドカテーテルおよびマッピング−アブレーションカテーテルの動きを制御するためのものであり；
前記コネクタは、前記電極にエネルギーを供給するよう設計される；
腎動脈に分布する腎神経をマッピングし、アブレーションするためのデバイス。
【請求項６】
前記制御構成要素が、前記ガイドカテーテルの遠位端を屈曲させる制御ノブを備える、請求項１〜５のいずれか１項に記載のデバイス。
【請求項７】
前記制御構成要素が、前記マッピング−アブレーションカテーテルの遠位端を前記ガイドカテーテルから突出させ、または該ガイドカテーテルに回収する制御ノブを備える、請求項１〜５のいずれか１項に記載のデバイス。
【請求項８】
前記制御構成要素が、前記マッピング−アブレーションカテーテルの遠位端を回転させる制御ノブを備える、請求項１〜５のいずれか１項に記載のデバイス。
【請求項９】
前記制御構成要素が、前記マッピング−アブレーションカテーテルの遠位端を該ガイドカテーテルから突出させ、または該ガイドカテーテルに回収し、かつ該マッピング−アブレーションカテーテルの遠位端を回転させる制御ノブを備える、請求項１〜５のいずれか１項に記載のデバイス。